(57)【要約】【課題】ユーザの利便性を向上させる。【解決手段】映像表示装置は、映像出力装置を接続する接続手段と、前記接続手段を介して接続された前記映像出力装置との間で所定のインターフェース規格に応じた通信を行う通信手段と、前記所定のインターフェース規格に応じた機能情報を記憶する記憶手段と、前記映像出力装置が対応している前記所定のインターフェース規格の仕様を判定する判定手段と、映像表示装置が対応している前記所定のインターフェース規格の仕様と前記映像出力装置が対応している前記所定のインターフェース規格の仕様が異なっていると判定された場合、前記記憶手段に記憶された前記所定のインターフェース規格に応じた機能情報を、前記映像出力装置が対応している前記所定のインターフェース規格の仕様の機能情報に変更する処理を行う制御手段と、を有する。【選択図】図５
2019029800.tif 000002
【特許請求の範囲】
【請求項１】
映像出力装置を接続する接続手段と、
前記接続手段を介して接続された前記映像出力装置との間で所定のインターフェース規格に応じた通信を行う通信手段と、
前記所定のインターフェース規格に応じた機能情報を記憶する記憶手段と、
前記映像出力装置が対応している前記所定のインターフェース規格の仕様を判定する判定手段と、
映像表示装置が対応している前記所定のインターフェース規格の仕様と前記映像出力装置が対応している前記所定のインターフェース規格の仕様が異なっていると判定された場合、前記記憶手段に記憶された前記所定のインターフェース規格に応じた機能情報を、前記映像出力装置が対応している前記所定のインターフェース規格の仕様の機能情報に変更する処理を行う制御手段と、を有することを特徴とする映像表示装置。
【請求項２】
前記判定手段は、所定の信号線を介して前記映像出力装置から出力される情報に基づいて、前記映像出力装置が対応している前記所定のインターフェース規格の仕様を判定することを特徴とする請求項１に記載の映像表示装置。
【請求項３】
前記判定手段は、前記情報が検出された場合、前記映像出力装置は前記所定のインターフェース規格の上位の仕様に対応していると判定し、前記情報が検出されない場合、前記映像出力装置は前記所定のインターフェース規格の下位の仕様に対応していると判定することを特徴とする請求項２に記載の映像表示装置。
【請求項４】
前記制御手段は、前記処理を実行している間は、前記映像出力装置が前記映像表示装置から機能情報を取得しないように制御することを特徴とする請求項２または３に記載の映像表示装置。
【請求項５】
前記制御手段は、前記映像出力装置と接続されたことを検出する検出手段を有し、
前記映像出力装置と接続されたことが検出されると前記処理を開始することを特徴とする請求項１から４のいずれか１項に記載の映像表示装置。
【請求項６】
前記検出手段は、前記接続手段の電源ラインの電圧レベルを検出することで前記映像出力装置との接続の有無を判定することを特徴とする請求項５に記載の映像表示装置。
【請求項７】
前記所定のインターフェース規格は複数の仕様を含むＨＤＭＩであり、
前記機能情報はＥＤＩＤであり、
前記情報は、前記所定の信号線としてのＤＤＣラインを介した通信で用いられるスレーブアドレスであることを特徴とする請求項２から４のいずれか１項に記載の映像表示装置。
【請求項８】
映像出力装置を接続する接続手段と、
前記接続手段を介して接続された前記映像出力装置との間で所定のインターフェース規格に応じた通信を行う通信手段と、
前記所定のインターフェース規格に応じた機能情報を記憶する記憶手段と、を有する映像表示装置の制御方法であって、
前記映像出力装置が対応している前記所定のインターフェース規格の仕様を判定するステップと、
前記映像表示装置が対応している前記所定のインターフェース規格の仕様と前記映像出力装置が対応している前記所定のインターフェース規格の仕様が異なっていると判定された場合、前記記憶手段に記憶された前記所定のインターフェース規格に応じた機能情報を、前記映像出力装置が対応している前記所定のインターフェース規格の仕様の機能情報に変更する処理を行うステップと、を有することを特徴とする制御方法。
【請求項９】
コンピュータを、請求項１から７のいずれか１項に記載の映像表示装置の各手段として機能させるためのプログラム。
【請求項１０】
コンピュータを、請求項１から７のいずれか１項に記載の映像表示装置の各手段として機能させるためのプログラムを記憶したコンピュータによる読み取りが可能な記憶媒体。
【発明の詳細な説明】
【技術分野】
【０００１】
本発明は、映像出力装置から出力される映像を表示する技術に関する。
【背景技術】
【０００２】
映像信号や音声信号を機器間で伝送するインターフェース規格としてＨＤＭＩ（登録商標）が知られている。ＨＤＭＩは、下位の仕様（バージョン）であるＨＤＭＩ１．０〜１．４と上位の仕様（バージョン）であるＨＤＭＩ２．０が存在する（非特許文献１、２参照）。機器が上位のバージョンに対応しているか下位のバージョンに対応しているか否かに関する情報は、ＥＤＩＤ（Ｅｘｔｅｎｄｅｄ Ｄｉｓｐｌａｙ Ｉｄｅｎｔｉｆｉｃａｔｉｏｎ Ｄａｔａ）に格納されている。映像出力装置は映像表示装置からＥＤＩＤを取得し、最適な映像信号や音声信号を送信する。
【０００３】
しかしながら、ＨＤＭＩ２．０に対応していない機器は、ＨＤＭＩ２．０に対応している機器からＥＤＩＤを取得すると誤動作を引き起こす可能性がある。このような場合、機器を復旧させるには、下位のバージョンであるＨＤＭＩ１．４のＥＤＩＤに戻して再取得する必要がある。
【０００４】
特許文献１には、映像表示装置が予め想定される全ての組み合わせのＥＤＩＤを用意しておき、映像出力装置から伝送された映像信号が正常に再生できない場合、ＥＤＩＤの変更を試みて正常に再生ができたＥＤＩＤに決定することが記載されている。
【先行技術文献】
【特許文献】
【０００５】
【特許文献１】特許第５３４９６６３号公報
【非特許文献】
【０００６】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  ２．０
【非特許文献２】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．４ｂ
【発明の概要】
【発明が解決しようとする課題】
【０００７】
しかしながら、上記特許文献１のようにバージョンアップにより想定される全ての組み合わせのＥＤＩＤを予め用意しておくことは、新たに追加される機能が多岐にわたることを考慮すると効率的ではない。
【０００８】
本発明は、上記課題に鑑みてなされ、その目的は、映像出力装置と映像表示装置との間でインターフェース規格の仕様が異なっている場合であっても映像の表示が可能となり、ユーザの利便性を向上させることができる技術を実現することである。
【課題を解決するための手段】
【０００９】
上記課題を解決し、目的を達成するために、本発明は、映像表示装置は、映像出力装置を接続する接続手段と、前記接続手段を介して接続された前記映像出力装置との間で所定のインターフェース規格に応じた通信を行う通信手段と、前記所定のインターフェース規格に応じた機能情報を記憶する記憶手段と、前記映像出力装置が対応している前記所定のインターフェース規格の仕様を判定する判定手段と、映像表示装置が対応している前記所定のインターフェース規格の仕様と前記映像出力装置が対応している前記所定のインターフェース規格の仕様が異なっていると判定された場合、前記記憶手段に記憶された前記所定のインターフェース規格に応じた機能情報を、前記映像出力装置が対応している前記所定のインターフェース規格の仕様の機能情報に変更する処理を行う制御手段と、を有する。
【発明の効果】
【００１０】
本発明によれば、映像出力装置と映像表示装置との間でインターフェース規格の仕様が異なっている場合であっても映像の表示が可能となり、ユーザの利便性を向上させることができる。
【図面の簡単な説明】
【００１１】
【図１】本実施形態の映像出力装置と映像表示装置の構成を示すブロック図。
【図２】本実施形態のＤＤＣラインの通信方法を説明する図。
【図３】ＤＤＣラインの通信種別を例示する図。
【図４】ＥＤＩＤの項目一覧を例示する図。
【図５】本実施形態のＥＤＩＤ変更処理を示すフローチャート。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１３】
＜装置構成＞まず、図１を参照して、本実施形態の映像出力装置と映像表示装置の構成および機能について説明する。
【００１４】
以下では、映像出力装置１００と映像表示装置１０１とをＨＤＭＩケーブルにより有線接続した構成を説明する。なお、本実施形態は、これに限らず、無線接続した場合であってもよい。
【００１５】
映像出力装置１００は、映像や音声のデジタル信号の送信元となるソース機器である。映像出力装置１００は、例えば、デジタルカメラ、ＡＶ（オーディオ・ビジュアル）機器、ゲーム機、パーソナルコンピュータ（ＰＣ）などである。映像表示装置１０１は、映像や音声のデジタル信号の受信元となるシンク機器である。映像表示装置１０１は、映像や音声を表示・出力するデジタルハイビジョンテレビなどである。ＨＤＭＩ（Ｈｉｇｈ−Ｄｅｆｉｎｉｔｉｏｎ Ｍｕｌｔｉｍｅｄｉａ Ｉｎｔｅｒｆａｃｅ）は、映像出力装置１００と映像表示装置１０１とを接続し、映像や音声のデジタル信号を入出力するためのインターフェース規格である。
【００１６】
図１において、映像出力装置１００は、ＨＤＭＩ伝送部１０２、映像送信端子部１０３を有する。映像表示装置１０１は、映像受信端子部１０８、ケーブル挿抜検出部１０９、ＤＤＣモニタ部１１０、ＥＤＩＤ制御部１１１、ＥＤＩＤ記憶部１１２、ＤＤＣ制御部１１３、映像信号受信部１１４、映像処理部１１５、表示制御部１１６を有する。
【００１７】
映像出力装置１００と映像表示装置１０１とを接続するＨＤＭＩケーブルの信号線は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ライン１０４と、ＤＤＣライン１０５と、５Ｖ＿ＰＷＲライン１０６と、ＨｏｔＰｌｕｇＤｅｔｅｃｔライン１０７とを含む。
【００１８】
ＨＤＭＩ伝送部１０２は、ＴＭＤＳライン１０４を介して、映像信号および音声信号を出力する。また、ＨＤＭＩ伝送部１０２は、ＤＤＣライン１０５を介して、ＥＤＩＤ（Ｅｘｔｅｎｄｅｄ Ｄｉｓｐｌａｙ Ｉｄｅｎｔｉｆｉｃａｔｉｏｎ Ｄａｔａ）、ＨＤＣＰ（Ｈｉｇｈ−ｂａｎｄｗｉｄｔｈ Ｄｉｇｉｔａｌ Ｃｏｎｔｅｎｔ Ｐｒｏｔｅｃｔｉｏｎ ｓｙｓｔｅｍ）およびＳＣＤＣ（Ｓｔａｔｕｓ  Ｃｏｎｔｒｏｌ  ａｎｄ  Ｄａｔａ  Ｃｈａｎｎｅｌ）の通信を行う。
【００１９】
ＥＤＩＤの通信では、映像表示装置１０１の映像データの表示能力やＳＣＤＣ通信に対応しているか否かなどの機能情報や認証情報を送受信する。ＥＤＩＤは、映像表示装置１０１のＥＤＩＤ記憶部１１２に格納されている。映像出力装置１００は、映像表示装置１０１のＥＤＩＤ記憶部１１２からＥＤＩＤを取得する。
【００２０】
ＨＤＣＰの通信では、映像出力装置１００と映像表示装置１０１の間の映像データを暗号化するための暗号キーを送受信する。
【００２１】
ＳＣＤＣの通信では、映像出力装置１００が送信する映像データのキャラクタレートやスクランブルの有無などを映像表示装置１０１に通知したり、映像表示装置１０１のスクランブル受信状態の取得を行う。
【００２２】
また、映像出力装置１００は、電源ラインである５Ｖ＿ＰＷＲライン１０６を介して映像表示装置１０１に接続状態の通知を行う。また、映像表示装置１００は、ＨｏｔＰｌｕｇＤｅｔｅｃｔライン１０７を介して映像出力装置１００がＥＤＩＤの通信が可能か否かの情報を取得する。ＨｏｔＰｌｕｇＤｅｔｅｃｔライン１０７にＨｉｇｈレベルが出力されると、映像出力装置１００はＤＤＣライン１０５を介したＥＤＩＤの通信により映像表示装置１０１からＥＤＩＤを取得できる。
【００２３】
映像送信端子部１０３は、映像受信端子部１０８と接続するコネクタであり、上述した映像や音声のデジタル信号を伝送する。
【００２４】
ケーブル挿抜検出部１０９は、映像出力装置１００から出力される５Ｖ＿ＰＷＲライン１０６の信号レベルを測定し、Ｈｉｇｈの場合はケーブルが挿入された状態であると判定し、ＨｏｔＰｌｕｇＤｅｔｅｃｔライン１０７にＨｉｇｈレベルを出力する。但し、ＨｏｔＰｌｕｇＤｅｔｅｃｔライン１０７は、ケーブルが挿入された状態であっても、図５のＳ５１２で後述するように、ＤＤＣモニタ部１１０での通信種別の判定結果に応じてＬｏｗレベルを出力することもできる。
【００２５】
ＤＤＣモニタ部１１０は、ＤＤＣライン１０５を介する通信を監視し、映像出力装置１００から映像表示装置１０１への通信種別を判定し、通信種別がＳＣＤＣの通信である場合は、ケーブル挿抜検出部１０９とＥＤＩＤ制御部１１１に通知する。
【００２６】
ここで、図２および図３を参照して、本実施形態の通信種別の判定方法について説明する。
【００２７】
図２は、本実施形態によるＤＤＣライン１０５での通信方法を説明する図である。
【００２８】
ＤＤＣライン１０５は、ＳＤＡ（Ｓｅｒｉａｌ Ｄａｔａ）とＳＣＬ（Ｓｅｒｉａｌ Ｃｌｋ）の２本のラインで構成される。通信開始は、ＳＤＡがＨｉｇｈからＬｏｗに変化し、さらに、ＳＣＬがＨｉｇｈレベルの時（スタートビット）である。通信完了は、ＳＣＬがＨｉｇｈレベルの状態で、さらに、ＳＤＡがＬｏｗからＨｉｇｈに変化した場合（ストップビット）である。スタートビットおよびストップビットは、映像出力装置１００が出力する。スタートビット直後の８ビットは、映像出力装置１００が通信相手を指定するスレーブアドレス領域と、方向性を指定するリード／ライト領域がある。９ビット目のＡＣＫは、映像表示装置１０１がスレーブアドレスを自分宛てあると認識した場合にＬｏｗを出力する。その後も同様の方法でデータ通信を行う。
【００２９】
図３は、ＤＤＣライン１０５の通信種別とスレーブアドレスを例示する図である。
【００３０】
ＤＤＣライン１０５を用いた通信には、上述したＥＤＩＤ、ＨＤＣＰ、ＳＣＤＣの３種類があり、各々異なるスレーブアドレスを用いて通信を行う。ＤＤＣモニタ部１１０は、スタートビット直後の１ビット目から７ビット目のスレーブアドレスを検出し、映像出力装置１００が出力するＤＤＣラインを介した通信種別がＥＤＩＤ、ＨＤＣＰ、ＳＣＤＣのいずれであるかを識別する。
【００３１】
図１の説明に戻り、ＥＤＩＤ制御部１１１は、下位の仕様（バージョン）であるＨＤＭＩ１．４や上位の仕様（バージョン）であるＨＤＭＩ２．０などに応じて複数のＥＤＩＤや差分情報を格納しており、ＨＤＭＩのバージョンに応じてこれらの情報を変更可能である。
【００３２】
ここで、図４を用いて、本実施形態のＥＤＩＤ記憶部１１２に格納されている複数のＥＤＩＤについて説明する。
【００３３】
図４は、ＥＤＩＤの情報項目一覧を例示する図である。図４において（★）の項目について２種類の情報（ＨＤＭＩ１．４用／ＨＤＭＩ２．０用）を持ち、映像出力装置１００が対応するバージョンに応じてＥＤＩＤを変更する。以下では、（★）の２種類の情報を持つ項目について説明する。
【００３４】
Ｖｉｄｅｏ  Ｄａｔａ  Ｂｌｏｃｋ領域は、映像表示装置１０１が表示可能な映像フォーマットを示す情報を含む。本実施形態において、ＨＤＭＩ１．４用のＥＤＩＤとして、“１９２０＊１０８０ｐ＠５９．９４Ｈｚ／６０Ｈｚ １６：９”、“１９２０＊１０８０ｉ＠５９．９４Ｈｚ／６０Ｈｚ １６：９”および“６４０＊４８０ｐ＠５９．９４Ｈｚ／６０Ｈｚ ４：３”を格納する。また、ＨＤＭＩ２．０用のＥＤＩＤとして、上記ＨＤＭＩ１．４用の３つのフォーマットに加えて、ＨＤＭＩ２．０にて追加された“４０９６＊２１６０ｐ＠５０Ｈｚ”および“４０９６＊２１６０ｐ＠５９．９４／６０Ｈｚ”の２つのフォーマットを格納する。
【００３５】
Ｖｅｎｄｏｒ  Ｓｐｅｃｉｆｉｃ  Ｄａｔａ  Ｂｌｏｃｋ（ＶＳＤＢ）領域は、ＨＤＭＩ２．０から新機能（ＳＣＤＣ，ＭＡＸ＿ＴＭＤＳキャラクタレート）追加に伴い、追加されている。ＶＳＤＢ領域は、映像表示装置１０１が対応するＨＤＭＩ機能（例えば４ｋ３０ｐ対応やＤｅｅｐＣｏｌｏｒ対応など）を示す情報を含む。本実施形態において、ＨＤＭＩ１．４用のＥＤＩＤとして、“４０９６＊２１６０ｐ＠２９．９７／３０Ｈｚ”対応とＤｅｅｐＣｏｌｏｒ３６ビット対応を格納する。ＨＤＭＩ２．０用のＥＤＩＤとして、上述のＨＤＭＩ１．４用の情報と、ＨＤＭＩ２．０にて追加されたＳＣＤＣ対応とＭＡＸ＿ＴＭＤＳキャラクタレート６００ＭＨｚを加えた情報を格納する。
【００３６】
Ｃｈｅｃｋｓｕｍは、ＥＤＩＤ情報のデータの正常性確認用のデータであり、ＨＤＭＩ１．４用とＨＤＭＩ２．０用で各々適した値が格納される。本実施形態においては、上述のように差分のあるＥＤＩＤをＥＤＩＤ制御部１１１が管理する。
【００３７】
図１の説明に戻り、ＥＤＩＤ記憶部１１２は、図４に示したＥＤＩＤを記憶するメモリであり、映像出力装置１００からのＥＤＩＤ取得要求に従ってＥＤＩＤのデータ転送を行う。
【００３８】
ＤＤＣ制御部１１３は、映像出力装置１００からのＳＣＤＣ通信およびＨＤＣＰ通信の制御を行い、ＤＤＣモニタ部１１０を介して通信種別を映像信号受信部１１４に通知する。
【００３９】
映像信号受信部１１４は、ＤＤＣ制御部１１３から通知された通信種別に応じて、ＴＭＤＳキャラクタレートやスクランブルの有無を検出する。また、映像信号受信部１１４は、ＴＭＤＳライン１０４から入力するシリアルデータをパラレルに変換し、暗号化されたデータの暗号解除処理を行い、映像処理部１１５に送信する。
【００４０】
映像処理部１１５は、映像信号受信部１１４からの映像信号を表示制御部１１６が受信可能なデータフォーマットに変換し、表示制御部１１６に送信する。
【００４１】
表示制御部１１６は、映像処理部１１５から出力される映像データを表示部に表示する。
【００４２】
なお、映像出力装置１００および映像表示装置１０１は、動作用の定数や制御プログラム等を記憶するメモリ（不図示）を有する。ここでいう、プログラムとは、図５で後述するフローチャートを実行するためのプログラムのことである。
【００４３】
＜ＥＤＩＤ変更処理＞次に、図５を参照して、映像出力装置１００からのＤＤＣライン１０５の通信種別をモニタし、通信種別に応じて映像出力装置１００が対応するバージョンを判定し、ＥＤＩＤを変更する処理について説明する。
【００４４】
なお、図５の処理は、映像出力装置１００と映像表示装置１０１が各々のメモリに格納された制御プログラムを実行することにより実現される。
【００４５】
図５（ａ）の処理は、映像表示装置１０１の電源投入後、ケーブル挿抜検出部１０９が５Ｖ＿ＰＷＲライン１０６の電圧レベルを測定し、ＨｉｇｈからＬｏｗへの変化（ＨＤＭＩケーブル抜去）を検出すると開始される。
【００４６】
Ｓ５０１では、ケーブル挿抜検出部１０９は、ＨｏｔＰｌｕｇＤｅｔｅｃｔライン１０７にＬｏｗレベルを出力して、Ｓ５０２に進む。
【００４７】
Ｓ５０２では、ＥＤＩＤ制御部１１１は、ＥＤＩＤ記憶部１１２に格納されているＥＤＩＤがＨＤＭＩ１．４用であるか判定し、ＨＤＭＩ１．４用であると判定した場合はＳ５０３に進み、ＨＤＭＩ２．０用であると判定した場合は本処理を終了する。
【００４８】
Ｓ５０３では、ＥＤＩＤ制御部１１１は、ＥＤＩＤ記憶部１１２にＨＤＭＩ２．０用のＥＤＩＤの書き込みを行い、本処理を終了する。
【００４９】
図５（ｂ）の処理は、映像表示装置１０１の電源投入後、ケーブル挿抜検出部１０９が５Ｖ＿ＰＷＲライン１０６の電圧レベルを測定し、ＬｏｗからＨｉｇｈへの変化（ＨＤＭＩケーブル挿入）を検出すると開始される。
【００５０】
Ｓ５１０では、ケーブル挿抜検出部１０９は、ＨｏｔＰｌｕｇＤｅｔｅｃｔライン１０７にＨｉｇｈレベルを出力して、Ｓ５０６に進む。
【００５１】
Ｓ５１１では、ＤＤＣモニタ部１１０は、図２および図３で説明したＤＤＣライン１０５を介した通信のスレーブアドレスを検出し、映像出力装置１００からの通信種別を判定する。ＤＤＣモニタ部１１０は、映像出力装置１００からＳＣＤＣ通信があると判定した場合は、ＥＤＩＤ記憶部１１２に格納されているＥＤＩＤのバージョンの変更は行わず、本処理を終了する。また、ＤＤＣモニタ部１１０は、映像出力装置１００からＳＣＤＣ通信がないと判定した場合はＳ５１２に進む。このＳＣＤＣ通信がないことを判定する方法としては、例えば、Ｓ５１０にてケーブル挿抜検出部１０９がＨｏｔＰｌｕｇＤｅｔｅｃｔ信号をＨｉｇｈレベルにした後の経過時間を計測するタイマーを設け、所定時間の間ＳＣＤＣ通信がない場合を判定する方法がある。また、Ｓ５１０にてケーブル挿抜検出部１０９がＨｏｔＰｌｕｇＤｅｔｅｃｔ信号をＨｉｇｈレベルにしてから、映像信号受信部１１４に映像データが入力されるまでの期間にＳＣＤＣ通信がない場合を判定してもよい。
【００５２】
Ｓ５１２では、ケーブル挿抜検出部１０９は、ＨｏｔＰｌｕｇＤｅｔｅｃｔライン１０７にＬｏｗレベルを出力して、Ｓ５１３に進む。このように、ＥＤＩＤ制御部１１１がＥＤＩＤ記憶部１１２のＥＤＩＤを書き換えている間、ＨｏｔＰｌｕｇＤｅｔｅｃｔライン１０７にＬｏｗレベルを出力し、画像出力装置１００がＤＤＣライン１０５を介したＥＤＩＤの通信により映像表示装置１０１からＥＤＩＤを取得しないように制御する。
【００５３】
Ｓ５１３では、ＥＤＩＤ制御部１１１は、ＥＤＩＤ記憶部１１２にＨＤＭＩ１．４用のＥＤＩＤの書き込みを行って、Ｓ５１４に進む。
【００５４】
Ｓ５１４では、ケーブル挿抜検出部１０９は、ＨｏｔＰｌｕｇＤｅｔｅｃｔライン１０７にＨｉｇｈレベルを出力して、本処理を終了する。
【００５５】
上述した実施形態によれば、ＤＤＣライン１０５を介した映像出力装置１００からの通信種別をスレーブアドレスにより検出することで映像出力装置１００が対応するバージョンを判定する。そして、必要に応じてＥＤＩＤ記憶部１１２のＥＤＩＤを映像出力装置１００が対応するバージョンのＥＤＩＤに変更する。このようにすることで、映像出力装置１００と映像表示装置１０１との間でバージョンが異なっている場合であっても映像の表示が可能となり、ユーザの利便性を向上させることができる。
【００５６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００…映像出力装置
１０１…映像表示装置
１０２…ＨＤＭＩ伝送部
１０３…映像送信端子部
１０８…映像受信端子部
１０９…ケーブル挿抜検出部
１１０…ＤＤＣモニタ部
１１１…ＥＤＩＤ制御部
１１２…ＥＤＩＤ記憶部
【図１】
2019029800.tif 000003
【図２】
2019029800.tif 000004
【図３】
2019029800.tif 000005
【図４】
2019029800.tif 000006
【図５】
2019029800.tif 000007